(57)【要約】【課題】表示部材に両面印刷を施さなくとも、商品陳列時に、包装箱の左右いずれの側方にいる消費者に対しても十分な訴求力を発揮しうる包装箱を提供することである。【解決手段】前面板１と、これに向かい合う後面板２と、これらの両側端をそれぞれつなぐ側面板３、４とで角筒を形成し、前面板１の上端に、表面に印刷Ｐを施した天フラップ５を設けた包装箱において、前面板１の上端Ｕにおける一側端Ｒ寄りの位置を始点６とし、前面板１の他側端Ｌに至る第１切目線８を設け、この第１切目線８に沿って切断された前面板１ａを、側面板３との間の稜線を軸に外側に展開し、天フラップ５ａを前面板１ａの裏面側に折り曲げ、その天フラップ５ａを前面板１ａに係合させるようにした。【選択図】図１
2005306401.tif 000002
【特許請求の範囲】
【請求項１】
前面板と、これに向かい合う後面板と、前面板と後面板の両側端をそれぞれつなぐ側面板とで角筒を形成し、前記前面板の上端に、表面に印刷を施した天フラップを設け、この天フラップで蓋を構成する包装箱において、前記前面板の上端における一側端寄りの位置を始点とし、前面板内を通り、前面板の他側端に至る第1切目線を設け、この第1切目線に沿って切断した前面板を、側面板との間の稜線を軸に外側に展開し、前記天フラップを前面板の裏面側に折り曲げ、その天フラップを前記前面板に係合させるようにしたことを特徴とする表示機能付き包装箱。
【請求項２】
前記天フラップの縁における任意の位置を始点とし、前記第１切目線に続く第２切目線を、前記天フラップに設けたことを特徴とする請求項１に記載の表示機能付き包装箱。
【請求項３】
前記第1切目線の始点が、前記前面板と側面板の間の稜線における上端に位置することを特徴とする請求項１に記載の表示機能付き包装箱。
【請求項４】
前記前面板に、その裏面側に折り曲げた天フラップの縁を差し込む切込みを設けて、天フラップを前面板に係合させるようにしたことを特徴とする請求項１から３のいずれかに記載の表示機能付き包装箱。
【請求項５】
前記天フラップに、その先端部分を切り離し可能とする第３切目線を設け、さらに、この第３切目線に沿って切り離した前記天フラップの先端部分を差し込む切込みを、前記後面板に設けたことを特徴とする請求項１から４のいずれかに記載の表示機能付き包装箱。
【発明の詳細な説明】
【技術分野】
【０００１】
この発明は、商品の包装および陳列に使用する表示機能付き包装箱に関する。
【背景技術】
【０００２】
店頭において菓子などの商品を棚にならべて陳列する場合、商品の入った包装箱を開封して前面を開口させ、包装箱の中に収納したままの商品を露出させて消費者から見えるようにしている。このとき、包装箱も消費者から見えるので、この包装箱には、より高い訴求力が求められる。
【０００３】
このような包装箱として、商品陳列時に、包装箱の一部をなす表示部材を前方に突出させ、この表示部材の印刷面を左右から見えるようにする包装箱が提案されている（特許文献１、２）。この包装箱は、店内の通路において、包装箱の前方のみならず側方を歩く消費者の注意をも引こうとするものである。
【０００４】
【特許文献１】特開２００１−１７１６５３号公報
【特許文献２】特開２００４−７５１１９号公報
【発明の開示】
【発明が解決しようとする課題】
【０００５】
しかしながら、特許文献１の包装箱は、その一部をなす表示部材の前方への突出長が短い。すなわち、この包装箱は、前面板を二つ折りにして表示部材を形成しているので、表示部材の前方への突出長が前面板の幅の半分以下しかなく、包装箱の側方にいる消費者への訴求力が十分でない場合がある。
【０００６】
また、特許文献２の包装箱は、表示部材に両面印刷を施す必要がある。すなわち、この包装箱は、前面板または天フラップを単独で前方に突出させて表示部材を形成しているので、その表示部材の左右の側方にいる消費者の注意を引くためには、前面板または天フラップの両面に印刷を施す必要があり、経済性に劣る。
【０００７】
そこで、この発明が解決しようとする課題は、表示部材に両面印刷を施さなくても、商品陳列時に、包装箱の左右いずれの側方にいる消費者に対しても十分な訴求力を発揮しうる包装箱を提供することである。
【課題を解決するための手段】
【０００８】
上記の課題を解決するために、この発明は、前面板と、これに向かい合う後面板と、前面板と後面板の両側端をそれぞれつなぐ側面板とで角筒を形成し、前記前面板の上端に、表面に印刷を施した天フラップを設け、この天フラップで蓋を構成する包装箱において、前記前面板の上端における一側端寄りの位置を始点とし、前面板内を通り、前面板の他側端に至る第１切目線を設け、この第１切目線に沿って切断した前面板を、側面板との間の稜線を軸に外側に展開し、前記天フラップを前面板の裏面側に折り曲げ、その天フラップを前記前面板に係合させるようにしたのである。
【０００９】
かかる包装箱は、以下の構成を加えるとより好ましいものになる。
１）前記天フラップの縁における任意の位置を始点とし、前記第１切目線に続く第２切目線を、前記天フラップに設ける。
２）前記第１切目線の始点を、前記前面板と側面板の間の稜線における上端に位置させる。
３）前記前面板に、その裏面側に折り曲げた天フラップの縁を差し込む切込みを設けて、天フラップを前面板に係合させるようにする。
４）前記天フラップに、その先端部分を切り離し可能とする第３切目線を設け、さらに、この第３切目線に沿って切り離した前記天フラップの先端部分を差し込む切込みを、前記後面板に設ける。
【発明の効果】
【００１０】
第１切目線に沿って切断した前面板を、側面板との間の稜線を軸に外側に展開し、天フラップを前面板の裏面側に折り曲げると、天フラップが前方に突出し、印刷を施されたその表面が側方を向くので、前面板の裏面に印刷を施さなくても、展開した前面板の裏面側にいる消費者の注意を引くことができる。また、前面板および天フラップは、いずれも二つ折りにする必要がないので、表示部材の前方への突出長を長くとることができ、側方にいる消費者に対して高い訴求力を発揮しうる。
【発明を実施するための最良の形態】
【００１１】
図１に、第１実施形態の包装箱の陳列状態を、図２にその包装状態を、図３にそのブランクを示す。この包装箱は、図２に示すように、前面板１、後面板２、側面板３および４からなる角筒と、この角筒の上部および下部の開口をそれぞれ閉鎖する蓋および底とからなる。
【００１２】
図３に示す包装箱のブランクについて説明する。
【００１３】
このブランクは、白板紙に罫線加工、打抜き加工を施したものである。このブランクにおいては、前面板１の一側端Ｒに、罫線を介して、側面板４および後面板２が順次連設されている。前面板１の他側端Ｌには、罫線を介して、側面板３および継代片１６が順次連設されている。また、前面板１の上端Ｕには、罫線を介して、差込片ｃを先端に有する天フラップ５が連設されている。前面板１の側方に連設された側面板３の上端には、切目線を介して、天フラップ１４が連設され、側面板４の上端には、罫線を介して、天フラップ１５が連設されている。また、前面板１、後面板２、側面板３および側面板４の下端には、罫線を介して、それぞれ、底片１８、底片２０、底板１７および底板１９が連設されている。
【００１４】
前面板１には、第１切目線８が設けられ、この第１切目線８は、その上端Ｕにおける一側端Ｒ寄りの位置を始点６として、この始点６から垂下し、高さ方向中央よりも下側に寄った位置で折れ曲がり、他側端Ｌにおける位置７に至っている。
【００１５】
天フラップ５には、第２切目線１０が設けられ、この第２切目線１０は、天フラップ５の側端縁のほぼ中央の位置を始点９として、前面板１との稜線と平行に延び、途中で前面板１側に折れ曲がり、第１切目線８の始点６に続いている。
【００１６】
天フラップ５の表面には、天フラップ５の側端縁と前面板１の上端Ｕと第２切目線１０とで囲まれる基端部分５ａに、印刷Ｐが施されている。また、前面板１の表面にも、その上端Ｕと他側端Ｌと第１切目線８とで囲まれる上側部分１ａに、印刷Ｐが施されている。
【００１７】
前面板１の上側部分１ａには、その裏面側に折り曲げた天フラップの基端部分５ａの縁を差し込むことができる切込み１１が設けられている。
【００１８】
天フラップ５には、その先端部分５ｃを切り離し可能とするための第３切目線１２が、第２切目線１０の折曲位置を始点として前面板１との稜線と平行に設けられている。これにより、基端部分５ａ以外の天フラップ５の部分は、先端部分５ｃと切取部分５ｂとに画されている。後面板２には、切り離した先端部分５ｃの差込片ｃを差し込む切込み１３が設けられている。また、天フラップ５の先端部分５ｃの表面には印刷Ｐが施されている。
【００１９】
また、側面板４から前面板１にかけて切目線２１が設けられており、この切目線２１は、側面板４と後面板２の間の稜線における上端を始点２２として、この始点２２から側面板４内を斜め下方に延び、前面板１の一側端Ｒを経て、前面板１内の第１切目線８に至っている。これにより、側面板４は上側部分４ｂと下側部分４ａとに画されており、また、上側部分１ａ以外の前面板１の部分は、切取部分１ｃと下側部分１ｂとに画されている。
【００２０】
図２および３に基づいて、このブランクの組立て方法を説明する。
【００２１】
まず、継代片１６、側面板３、前面板１、側面板４および後面板２を、罫線に沿って筒状に折り曲げ、その一端の継代片１６の表面を、他端の後面板２の裏面に接着して角筒を形成する。
【００２２】
つぎに、この周壁の下端に連設された底板１７、１９の裏面に底片１８、２０の表面をそれぞれ接着し、その底板１７、１９同士を係合させて、包装箱の底を形成する。
【００２３】
つぎに、側面板３、４の上端に連設された天フラップ１４、１５を、側面板３、４との間の罫線または切目線に沿って内側に折り曲げる。つづいて、前面板１の上端に連設された天フラップ５を、前面板１との間の罫線に沿って内側に折り曲げ、天フラップ５の先端の差込片ｃを後面板２の裏面側に差し込んで、包装箱の蓋を形成する。
【００２４】
この表示機能付き包装箱によれば、以下の効果を得る。
【００２５】
第１に、表示部材に両面印刷を施さなくても、左右の側方にいる消費者の注意を引くことができる。すなわち、前面板１と天フラップ５とを第１切目線８および第２切目線１０に沿って切断し、この第１切目線８と上端Ｕと他側端Ｌとで囲まれる前面板の上側部分１ａを、その隣の側面板３との間の稜線を軸に外側に展開すると、前面板の上側部分１ａが前方に突出する。この上側部分１ａの上端にある天フラップの基端部分５ａを、前面板の上側部分１ａの裏面側に折り曲げ、つづいて、天フラップの基端部分５ａの縁を、前面板の上側部分１ａに設けられた切欠き１１に差し込むと、天フラップの基端部分５ａが、前方に突出した前面板の上側部分１ａの裏面に重なった状態で保持される。このとき、天フラップの基端部分５ａの表面は、前面板の上側部分１ａの裏面と同じ方向を向いており、また印刷Ｐが施されている。したがって、前面板の上側部分１ａの裏面に印刷を施さなくても、前方に突出した前面板の上側部分１ａの裏面側にいる消費者の注意を引くことができる。また、前面板の上側部分１ａの表面にも印刷Ｐを施しておけば、店内の通路を歩く消費者のうち、包装箱の左右いずれの側方にいる消費者に対しても注意を引くことができる。
【００２６】
第２に、前面板の上側部分１ａと天フラップの基端部分５ａとからなる表示部材の前方への突出長を長くとることができる。すなわち、前面板の上側部分１ａと天フラップの基端部分５ａとは、いずれも二つ折りにする必要がないので、前面板の上側部分１ａと天フラップの基端部分５ａとをその幅全体にわたって突出させることができる。また、前面板１を切断する第１切目線８が、前面板１の上端Ｕにおける一側端Ｒ寄りの位置６を通っているので、前面板の上側部分１ａの幅は、第１切目線８に沿って切断する前の前面板１の幅の半分よりも長い。したがって、前面板の上側部分１ａと天フラップの基端部分５ａとからなる表示部材の前方への突出長が長く、側方にいる消費者に対して発揮する訴求力が高い。
【００２７】
第３に、表示部材の組立てが簡単である。この表示部材を組み立てるには、前面板１および天フラップ５を第１切目線８および第２切目線１０に沿って手で切断して折り曲げ、天フラップの基端部分５ａの縁を前面板１の切込み１１に差し込むだけでよく、はさみや接着剤を使用する必要がない。したがって、表示部材は、簡単に組み立てることができる。
【００２８】
第４に、この包装箱の正面にいる消費者に対しても高い訴求力を発揮しうる。すなわち、天フラップ５を第３切目線１２に沿って切断して、天フラップの先端部分５ｃを切り離し、つづいて、その切り離した先端部分５ｃの差込片ｃを、表面が箱の正面方向を向くように、後面板２に設けた切込み１３に差し込むことにより、印刷Ｐが施された天フラップの先端部分５ｃの表面を、包装箱の正面から見えるようにすることができる。これにより、包装箱の正面にいる消費者に対しても高い訴求力を発揮しうる。
【００２９】
第５に、商品陳列時における商品の視認性にすぐれる。第１切目線８および第２切目線１０に沿って前面板１および天フラップ５を切断するとともに、切目線２１に沿って側面板４と前面板１とを切断することにより、側面板の上側部分４ｂと前面板の切取部分１ｃと天フラップの切取部分５ｂと天フラップ１５とを包装箱から切り離し、包装箱の前面および側面に開口を形成することができる。このようにして、包装箱の中の商品を、正面からのみならず、側方からも見えるようにすることができる。さらに、天フラップ１４を側面板３との間の切目線で切り離せば、包装箱の中の商品がより見やすくなる。また、消費者が包装箱から商品を取り出しやすい。
【００３０】
第６に、表示部材の結合の信頼性が高い。前面板１の他側端Ｌに第１切目線８が至る位置７が、他側端Ｌにおける下側寄りの位置なので、前方に突出した前面板の上側部分１ａとその隣の側面板３との連続部分が長い。したがって、前面板の上側部分１ａと天フラップの基端部分５ａとからなる表示部材が、側面板３からちぎれにくく、表示部材と側面板３との結合の信頼性が高い。
【００３１】
第７に、ブランクの組立てが簡単である。この包装箱は、従来の包装箱に切目線や切込みを付加して表示部材を形成しているので、ブランクを組み立てるのに、従来のブランク組立てラインを用いることができ、経済的である。
【００３２】
なお、第２切目線１０の始点９は、天フラップ５の先端縁に位置していてもよく、また、天フラップ５の側端縁と前面板１の上端Ｕとの交点に位置していてもよく、天フラップ５の縁に位置していればよい。
【００３３】
また、第１切目線８は、前面板１の上端Ｕから湾曲しながら延びて、他側端Ｌに至ってもよく、途中どのような経路をたどってもよい。
【００３４】
また、第１切目線８は、前面板１内を通っていればよく、たとえば、前面板１内を通り、前面板１と側面板４との間の稜線を経て側面板４内を通り、ふたたび側面板４と前面板１との間の稜線を経て前面板１内を通り、前面板１の他側端Ｌに至っていてもよい。このようにすれば、表示部材の突出長を前面板１の幅よりも長くすることが可能であり、より高い訴求力を発揮する表示部材を形成することができる。
【００３５】
また、図では、側面板を２つとして４角筒を形成しているが、たとえば側面板を４つとして６角筒を形成してもよく、前面板１と後面板２の両側端をそれぞれつなぐ側面板とで角筒を形成していればよい。
【００３６】
また、天フラップ５は、たとえば、先端が後面板２まで届かないフラップでもよく、蓋の全部または一部を構成するフラップであればよい。天フラップ５を内フラップとし、包装状態においてその表面が外部から見えないようにすれば、陳列状態においてのみ、天フラップ５の表面に施された印刷Ｐが現れるようにすることができ、輸送時に包装箱の外面に傷がついても表示部材が受ける影響が少ない。
【００３７】
また、図では、円弧状の切込み１３を上側が凸となるように設けているが、たとえば、コの字形の切込みを上側が凸となるように設けてもよく、また、直線状の２つの切込みを逆ハの字形に設けて天フラップの先端部分５ｃの両隅を差し込むようにしてもよく、天フラップの先端部分５ｃを差し込むことができればよい。
【００３８】
また、図では、前面板の上側部分１ａに天フラップの基端部分５ａの縁を差し込む円弧状の切込み１１を設けて、天フラップの基端部分５ａを前面板の上側部分１ａに係合させるようにしているが、たとえば、図４（ａ）に示すように、天フラップの基端部分５ａに前面板の上側部分１ａの縁を差し込む円弧状の切込み２３を設けてもよく、図４（ｂ）に示すように、天フラップの基端部分５ａの側端縁に突片２４を設け、この突片２４を差し込むスリット２５を、前面板の上側部分１ａと側面板３との間の稜線付近に設けてもよく、天フラップの基端部分５ａを前面板の上側部分１ａに係合させることができればよい。
【００３９】
図５に、第２実施形態の包装箱の陳列状態を、図６にその包装状態を、図７にそのブランクを示す。この包装箱は、図６に示すように、前面板１、後面板２、側面板３および４からなる角筒と、この角筒の上部および下部の開口をそれぞれ閉鎖する蓋および底とからなる。
【００４０】
図７に示す包装箱のブランクについて説明する。
【００４１】
このブランクは、白板紙に罫線加工、打抜き加工を施したものであり、第１実施形態と同様に、前面板１、後面板２、側面板３、４、天フラップ５、１４、１５、継代片１６、底板１７、１９、底片１８、２０からなる。
【００４２】
前面板１には第１切目線８が設けられ、この第１切目線８は、前面板１と側面板４の間の稜線における上端を始点６として、この始点６から垂下し、高さ方向中央よりも下側に寄った位置で折れ曲がり、前面板１内を通り、他側端Ｌにおける位置７に至っている。
【００４３】
天フラップ５には、その先端部分５ｃを切り離し可能とする第３切目線１２が設けられており、さらに、後面板２には、切り離した先端部分５ｃの差込片ｃを差し込むことができる切込み１３が設けられている。また、天フラップ５の表面には、天フラップ５の側端縁と前面板１の上端Ｕと第３切目線１２とで囲まれる基端部分５ａと、天フラップ５の先端部分５ｃとに、それぞれ、印刷Ｐが施されている。
【００４４】
前面板の上側部分１ａには、その裏面側に折り曲げた天フラップの基端部分５ａの縁を差し込むことができる切込み１１が設けられている。
【００４５】
また、側面板４から前面板１にかけて切目線２１が設けられており、この切目線２１は、側面板４と後面板２との間の稜線における上端を始点２２として、前面板１内の第１切目線８に至っている。これにより、側面板４は上側部分４ｂと下側部分４ａとに画されている。
【００４６】
このブランクは、第１実施形態の包装箱と同様にして組み立てることができる。
【００４７】
この包装箱によれば、第１実施形態と同様の効果を得る。すなわち、表示部材に両面印刷を施さなくても左右の側方にいる消費者の注意を引くことができ、前面板の上側部分１ａと天フラップの基端部分５ａとからなる表示部材の前方への突出長を長くとることができ、表示部材の組立てが簡単であり、この包装箱の正面にいる消費者に対しても高い訴求力を発揮し、商品陳列時における商品の視認性にすぐれ、表示部材の接合の信頼性が高く、ブランクの組立てが簡単である。
【００４８】
図では、第３切目線１２は、天フラップ５の側端縁のほぼ中央から、前面板１の上端Ｕに平行に、他方の側端縁まで延びているが、たとえば、前面板１の上端Ｕに対して傾斜していてもよく、また、湾曲していてもよく、天フラップ５の先端部分５ｃを切り離すことができればよい。
【図面の簡単な説明】
【００４９】
【図１】第１実施形態の包装箱の陳列状態を示す図
【図２】同上の包装状態を示す図
【図３】同上のブランクを示す図
【図４】同上の変形例を示す図
【図５】第２実施形態の包装箱の陳列状態を示す図
【図６】同上の包装状態を示す図
【図７】同上のブランクを示す図
【符号の説明】
【００５０】
１          前面板
２          後面板
３、４      側面板
５          天フラップ
６、９      始点
８          第１切目線
１０        第２切目線
１２        第３切目線
１１，１３  切込み
【図１】
2005306401.tif 000003
【図２】
2005306401.tif 000004
【図３】
2005306401.tif 000005
【図４】
2005306401.tif 000006
【図５】
2005306401.tif 000007
【図６】
2005306401.tif 000008
【図７】
2005306401.tif 000009